(57)【要約】  【課題】  ユーザがリモコンを紛失したり、リモコンが故障したりした場合に、リモコンキーを本体キーで代用させる場合、本体キーの操作も簡単に行うことができて、リモコンの各機能を実現できる光ディスク装置を提供する。  【解決手段】  回転プッシュキーのツマミを例えば右に３０度回転させると、カウンタのカウンタ値が「３」になる。そして、キー名称表示手段は、カウンタ値が「３」に対応するリモコンのキー名称、例えば「ＳＥＡＲＣＨキー」をテーブルより抽出し、表示手段に表示させる。このようにして、リモコンのキー名称が表示手段に表示されているときに、ユーザが希望するリモコンキーを確定したい場合、回転プッシュキーのツマミを押下すると、キー確定手段は、カウント値が「３」に対応するリモコンキーの機能を、回転プッシュキーのツマミの押下によるキー機能として確定する。【選択図】      図７
2006196094.tif 000002
【特許請求の範囲】
【請求項１】
複数のキーを有するリモコンにより操作が可能であると共に、前記リモコンのキーの個
数よりも少ない個数のキーを有する本体操作部を備え、光ディスクに対して情報の再生、
または記録／再生を行う光ディスク装置において、ツマミを回転させたとき所定の回転角
度毎にパルスを発生すると共に前記ツマミを押下することによりオン信号を発生する回転
プッシュキーを前記本体操作部に設け、前記回転プッシュキーのツマミを右回転させたと
きに所定回転角度毎に発生する右回転パルスの個数をインクリメントしてカウントすると
共に、前記ツマミを左回転させたときに所定回転角度毎に発生する左回転パルスの個数を
デクリメントしてカウントするカウンタと、前記パルスの個数のカウント値とリモコンキ
ーのキーコードとリモコンキーの名称との対応関係を示すテーブルと、前記回転プッシュ
キーのツマミを押下したときにおける前記カウント値に対応したキーコードを前記テーブ
ルより抽出して該キーコードが示すリモコンキーとして前記回転プッシュキーのツマミの
押下によるキー機能を確定するキー確定手段と、前記カウント値に対応するリモコンキー
の名称を前記テーブルより抽出して表示手段に表示させるキー名称表示手段とを有するシ
ステムコントローラを備えたことを特徴とする光ディスク装置。
【請求項２】
複数のキーを有するリモコンにより操作が可能であると共に、前記リモコンのキーの個
数よりも少ない個数のキーを有する本体操作部を備え、光ディスクに対して情報の再生、
または記録／再生を行う光ディスク装置において、ツマミを回転させたとき所定の回転角
度毎にパルスを発生すると共に前記ツマミを押下することによりオン信号を発生する回転
プッシュキーを前記本体操作部に設け、前記回転プッシュキーのツマミの回転角度毎に発
生するパルスの個数によりリモコンキーを指定し、前記回転プッシュキーのツマミを押下
したときにおける前記指定されたリモコンキーの機能を前記回転プッシュキーのツマミの
押下によるキー機能に確定するシステムコントローラを備えたことを特徴とする特徴とす
る光ディスク装置。
【請求項３】
前記システムコントローラは、回転プッシュキーのツマミを右回転させたときに所定回
転角度毎に発生する右回転パルスの個数をインクリメントしてカウントすると共に、前記
ツマミを左回転させたときに所定回転角度毎に発生する左回転パルスの個数をデクリメン
トしてカウントするカウンタと、前記回転プッシュキーのツマミを押下したときにおける
前記カウント値に対応したキーコードが示すリモコンキーとして前記回転プッシュキーの
ツマミの押下によるキー機能を確定するキー確定手段と、前記カウント値に対応するリモ
コンキーの名称を表示手段に表示させるキー名称表示手段とを有することを特徴とする請
求項２に記載の光ディスク装置。
【請求項４】
前記システムコントローラは、回転プッシュキーのツマミを右回転させたときに所定回
転角度毎に発生する右回転パルスの個数をインクリメントしてカウントすると共に、前記
ツマミを左回転させたときに所定回転角度毎に発生する左回転パルスの個数をデクリメン
トしてカウントするカウンタと、前記パルスの個数のカウント値とリモコンキーのキーコ
ードとリモコンキーの名称との対応関係を示すテーブルと、前記回転プッシュキーのツマ
ミを押下したときにおける前記カウント値に対応したキーコードを前記テーブルより抽出
して該キーコードが示すリモコンキーとして前記回転プッシュキーの押下によるキー機能
を確定するキー確定手段と、前記カウント値に対応するリモコンキーの名称を前記テーブ
ルより抽出して表示手段に表示させるキー名称表示手段とを有することを特徴とする請求
項２に記載の光ディスク装置。
【発明の詳細な説明】
【技術分野】
【０００１】
本発明は、複数のキーを有するリモコンにより操作が可能であると共に、前記リモコン
のキーの個数よりも少ない個数のキーを有する本体操作部を備え、光ディスクに対して情
報の再生、または記録／再生を行う光ディスク装置に関する。
【背景技術】
【０００２】
従来から、光ディスク装置では、複数のキーを有するリモコンにより操作が可能である
と共に、前記リモコンのキーの個数よりも少ない個数のキーを有する本体操作部を備え、
リモコンキーまたは本体キーを押下して、電源をオンしたりオフしたり、あるいは再生を
開始させたり、再生を停止させたり、その他各種の動作を行わせている。
【特許文献１】特開２０００−２９８８９４号公報
【特許文献２】特開平７−１０５５９１号公報
【特許文献３】特開平８−３４０４６３号公報
【特許文献４】特開平６−２５９８３６号公報
【発明の開示】
【発明が解決しようとする課題】
【０００３】
ところで、リモコンには、各種機能に応じた分の複数のキー、および数字入力のための
テンキーなどが設けられていることが多い。また、近年においては、装置本体の小型化の
要請から、装置の本体操作部では、本体操作部のスペースを小さくするため、できるだけ
キーの個数を少なくして、リモコン側にキーを集中させる傾向にある。しかしながら、ユ
ーザがリモコンを紛失したり、リモコンが故障したりした場合、リモコンでのみ操作可能
な機能については、本体操作部のキー操作では装置を動作させることができなくなり、ユ
ーザにとっては非常に困った問題が生じる。
【０００４】
なお、特許文献１に記載の再生装置では、パネル面に対して回転軸が平行であるダイヤ
ルを備えたロータリエンコーダを使用することによって小型のジョグ／シャトル用操作子
が構成でき、小型ＶＴＲなどの狭いパネルにも配置可能にしているが、この再生装置は、
ユーザがリモコンを紛失したり、リモコンが故障したりした場合に、リモコンキーの機能
を本体キーで代用させるようにしたものではない。
【０００５】
特許文献２に記載の映像再生システムは、遠隔操作装置側および映像再生装置側の各回
転操作部の回転操作により、変速再生動作の制御を行うようにしたものであり、この従来
技術も、ユーザがリモコン（遠隔操作装置）を紛失したり、リモコンが故障したりした場
合に、リモコンキーの機能を本体キー（映像再生装置側のキー）で代用させるようにした
ものではない。
【０００６】
特許文献３に記載の電子機器の遠隔操作装置は、コマンダ操作によって、手動でも操作
できる操作ダイヤルをモータで回転させることができるようにし、リモートコントロール
時でもマニュアル操作と同じ感覚で操作が可能になるようにしたものであり、この従来技
術も、ユーザがリモコンを紛失したり、リモコンが故障したりした場合に、リモコンキー
の機能を本体キーで代用させるようにしたものではない。
【０００７】
特許文献４に記載の操作装置は、再生、停止および変速再生、早送り、巻戻しのテープ
走行の基本操作およびコマ送りなどのテープ走行の細やかな動作を１箇所で操作性良く行
うことができるように、回転ダイヤルを設けたものであり、リモートコントロール時でも
マニュアル操作と同じ感覚で操作が可能になるようにしたものであり、この従来技術も、
ユーザがリモコンを紛失したり、リモコンが故障したりした場合に、リモコンキーの機能
を本体キーで代用させるようにしたものではない。
【０００８】
本発明は、上記のような課題を解決するためになされたもので、ユーザがリモコンを紛
失したり、リモコンが故障したりした場合に、リモコンキーの機能を本体キーで代用させ
る場合、本体キーの操作も簡単に行うことができ、リモコンの各機能を実現できる光ディ
スク装置を提供することを目的とする。
【課題を解決するための手段】
【０００９】
上記目的を達成するために、請求項１の発明は、複数のキーを有するリモコンにより操
作が可能であると共に、前記リモコンのキーの個数よりも少ない個数のキーを有する本体
操作部を備え、光ディスクに対して情報の再生、または記録／再生を行う光ディスク装置
において、ツマミを回転させたとき所定の回転角度毎にパルスを発生すると共に前記ツマ
ミを押下することによりオン信号を発生する回転プッシュキーを前記本体操作部に設け、
前記回転プッシュキーのツマミを右回転させたときに所定回転角度毎に発生する右回転パ
ルスの個数をインクリメントしてカウントすると共に、前記ツマミを左回転させたときに
所定回転角度毎に発生する左回転パルスの個数をデクリメントしてカウントするカウンタ
と、前記パルスの個数のカウント値とリモコンキーのキーコードとリモコンキーの名称と
の対応関係を示すテーブルと、前記回転プッシュキーのツマミを押下したときにおける前
記カウント値に対応したキーコードを前記テーブルより抽出して該キーコードが示すリモ
コンキーとして前記回転プッシュキーのツマミの押下によるキー機能を確定するキー確定
手段と、前記カウント値に対応するリモコンキーの名称を前記テーブルより抽出して表示
手段に表示させるキー名称表示手段とを有するシステムコントローラを備えたことを特徴
とする光ディスク装置を提供する。
【００１０】
この構成において、回転プッシュキーのツマミを例えば右に３０度回転させると、カウ
ンタのカウンタ値が「３」になる。そして、キー名称表示手段は、カウンタ値が「３」に
対応するリモコンのキー名称、例えば「ＳＥＡＲＣＨキー」をテーブルより抽出し、表示
手段に表示させる。このようにして、リモコンのキー名称が表示手段に表示されていると
きに、ユーザが希望するリモコンキーを確定したい場合、回転プッシュキーのツマミを押
下すると、キー確定手段は、カウント値が「３」に対応するＳＥＡＲＣＨキーの機能を、
回転プッシュキーのツマミの押下によるキー機能として確定する。
【００１１】
この構成によれば、ユーザがリモコンを紛失したり、リモコンが故障したりした場合に
、リモコンキーを本体キーで代用させる場合、本体操作部の回転プッシュキーのツマミを
回して代用したいリモコンキーを選択し、この選択したリモコンキーの機能を、そのツマ
ミの押下によりリモコンキーの機能を確定することができ、また、このとき確定されるリ
モコンキーの名称も表示されるので、回転プッシュキーの操作もリモコンキーの名称を見
ながら簡単に行うことができて、リモコンの各機能を実現でき、ユーザにとっては使い勝
手が良くなる。
【００１２】
請求項２の発明は、複数のキーを有するリモコンにより操作が可能であると共に、前記
リモコンのキーの個数よりも少ない個数のキーを有する本体操作部を備え、光ディスクに
対して情報の再生、または記録／再生を行う光ディスク装置において、ツマミを回転させ
たとき所定の回転角度毎にパルスを発生すると共に前記ツマミを押下することによりオン
信号を発生する回転プッシュキーを前記本体操作部に設け、前記回転プッシュキーのツマ
ミの回転角度毎に発生するパルスの個数によりリモコンキーを指定し、前記回転プッシュ
キーのツマミを押下したときにおける前記指定されたリモコンキーの機能を前記回転プッ
シュキーのツマミの押下によるキー機能に確定するシステムコントローラを備えたことを
特徴とする光ディスク装置を提供する。
【００１３】
この構成において、回転プッシュキーのツマミを例えば右に３０度回転させると、回転
プッシュキーから３個のパルスが発生して、リモコンの例えばＳＥＡＲＣＨキーが指定さ
れる。この後、回転プッシュキーのツマミを押下すると、ＳＥＡＲＣＨキーの機能が回転
プッシュキーのツマミの押下によるキー機能として確定される。
【００１４】
この構成によれば、ユーザがリモコンを紛失したり、リモコンが故障したりした場合に
、リモコンキーを本体キーで代用させる場合、本体操作部の回転プッシュキーのツマミを
回して代用したいリモコンキーを選択し、この選択したリモコンキーの機能を、そのツマ
ミの押下によりリモコンキーの機能を確定することができ、これにより、回転プッシュキ
ーの操作も簡単に行うことができて、リモコンの各機能を実現でき、ユーザにとっては使
い勝手が良くなる。
【００１５】
請求項３の発明では、請求項２の発明において、前記システムコントローラは、回転プ
ッシュキーのツマミを右回転させたときに所定回転角度毎に発生する右回転パルスの個数
をインクリメントしてカウントすると共に、前記ツマミを左回転させたときに所定回転角
度毎に発生する左回転パルスの個数をデクリメントしてカウントするカウンタと、前記回
転プッシュキーのツマミを押下したときにおける前記カウント値に対応したキーコードが
示すリモコンキーとして前記回転プッシュキーのツマミの押下によるキー機能を確定する
キー確定手段と、前記カウント値に対応するリモコンキーの名称を表示手段に表示させる
キー名称表示手段とを有するので、回転プッシュキーのツマミを例えば右に３０度回転さ
せると、カウンタのカウンタ値が「３」になり、カウンタ値「３」に対応するリモコンの
キー名称、例えば「ＳＥＡＲＣＨキー」を表示手段に表示でき、ユーザが希望するリモコ
ンキーを確定したい場合、回転プッシュキーのツマミを押下すると、カウント値が「３」
に対応するＳＥＡＲＣＨキーの機能を、回転プッシュキーのツマミの押下によるキー機能
として確定することができる。
【００１６】
請求項４の発明では、請求項３の発明において、前記システムコントローラは、回転プ
ッシュキーのツマミを右回転させたときに所定回転角度毎に発生する右回転パルスの個数
をインクリメントしてカウントすると共に、前記ツマミを左回転させたときに所定回転角
度毎に発生する左回転パルスの個数をデクリメントしてカウントするカウンタと、前記パ
ルスの個数のカウント値とリモコンキーのキーコードとリモコンキーの名称との対応関係
を示すテーブルと、前記回転プッシュキーのツマミを押下したときにおける前記カウント
値に対応したキーコードを前記テーブルより抽出して該キーコードが示すリモコンキーと
して前記回転プッシュキーのツマミの押下によるキー機能を確定するキー確定手段と、前
記カウント値に対応するリモコンキーの名称を前記テーブルより抽出して表示手段に表示
させるキー名称表示手段とを有するので、回転プッシュキーのツマミを例えば右に３０度
回転させると、カウンタのカウンタ値が「３」になり、カウンタ値「３」に対応するリモ
コンのキー名称、例えば「ＳＥＡＲＣＨキー」をテーブルから抽出して表示手段に表示で
き、ユーザが希望するリモコンキーを確定したい場合、回転プッシュキーのツマミを押下
すると、カウント値「３」に対応するＳＥＡＲＣＨキーの機能を、回転プッシュキーのツ
マミの押下によるキー機能として確定することができる。
【発明の効果】
【００１７】
以上のように本発明によれば、複数のキーを有するリモコンにより操作が可能であると
共に、前記リモコンのキーの個数よりも少ない個数のキーを有する本体操作部を備え、光
ディスクに対して情報の再生、または記録／再生を行う光ディスク装置において、ツマミ
を回転させたとき所定の回転角度毎にパルスを発生すると共に前記ツマミを押下すること
によりオン信号を発生する回転プッシュキーを前記本体操作部に設け、前記回転プッシュ
キーのツマミを右回転させたときに所定回転角度毎に発生する右回転パルスの個数をイン
クリメントしてカウントすると共に、前記ツマミを左回転させたときに所定回転角度毎に
発生する左回転パルスの個数をデクリメントしてカウントするカウンタと、前記パルスの
個数のカウント値とリモコンキーのキーコードとリモコンキーの名称との対応関係を示す
テーブルと、前記回転プッシュキーのツマミを押下したときにおける前記カウント値に対
応したキーコードを前記テーブルより抽出して該キーコードが示すリモコンキーとして前
記回転プッシュキーのツマミの押下によるキー機能を確定するキー確定手段と、前記カウ
ント値に対応するリモコンキーの名称を前記テーブルより抽出して表示手段に表示させる
キー名称表示手段とを有するシステムコントローラを備えたので、ユーザがリモコンを紛
失したり、リモコンが故障したりした場合に、リモコンキーを本体キーで代用させる場合
、本体操作部の回転プッシュキーのツマミを回して代用したいリモコンキーを選択し、こ
の選択したリモコンキーの機能を、そのツマミの押下によりリモコンキーの機能を確定す
ることができ、また、このとき確定されるリモコンキーの名称も表示でき、これにより、
回転プッシュキーの操作もリモコンキーの名称を見ながら簡単に行うことができて、リモ
コンの各機能を実現でき、ユーザにとっては使い勝手が良くなる。
【００１８】
また、本発明によれば、複数のキーを有するリモコンにより操作が可能であると共に、
前記リモコンのキーの個数よりも少ない個数のキーを有する本体操作部を備え、光ディス
クに対して情報の再生、または記録／再生を行う光ディスク装置において、ツマミを回転
させたとき所定の回転角度毎にパルスを発生すると共に前記ツマミを押下することにより
オン信号を発生する回転プッシュキーを前記本体操作部に設け、前記回転プッシュキーの
ツマミの回転角度毎に発生するパルスの個数によりリモコンキーを指定し、前記回転プッ
シュキーのツマミを押下したときにおける前記指定されたリモコンキーの機能を前記回転
プッシュキーのツマミの押下によるキー機能に確定するシステムコントローラを備えたの
で、ユーザがリモコンを紛失したり、リモコンが故障したりした場合に、リモコンキーを
本体キーで代用させる場合、本体操作部の回転プッシュキーのツマミを回して代用したい
リモコンキーを選択し、この選択したリモコンキーの機能を、そのツマミの押下によりリ
モコンキーの機能を確定することができ、これにより、回転プッシュキーの操作も簡単に
行うことができて、リモコンの各機能を実現でき、ユーザにとっては使い勝手が良くなる
。
【発明を実施するための最良の形態】
【００１９】
以下、添付図面を参照しつつ、本発明の実施の形態について説明する。図１は本発明の
一実施形態に係る光ディスク装置の構成を示すブロック図である。この実施形態では、光
ディスク（ＤＶＤ）に記録された情報を再生するＤＶＤプレーヤなどの光ディスク装置に
ついて説明するが、光ディスク（ＤＶＤ）に対して情報の記録／再生を行うＤＶＤレコー
ダなどの光ディスク装置についても、同様にリモコンキーの機能を回転プッシュキーで代
用させることができる。
【００２０】
この光ディスク装置は、光ディスク（ＤＶＤ）１を回転させるスピンドルモータ５と、
光ディスク１に記録された情報を再生するためのレーザ光を出射すると共に光ディスク１
からの反射光を受光する光ピックアップ２と、この光ピックアップ２を光ディスク１の半
径方向に移動させるためのスレッド３と、システムコントローラ２２の指示に応じてスピ
ンドルモータ５およびスレッド３を駆動すると共に光ピックアップ２に内蔵された対物レ
ンズ（図示せず）を動かすことによりレーザ光の焦点位置を光ディスク１の記録面に対し
て垂直方向および水平方向に移動させる制御を行うサーボ制御部４とを備えている。
【００２１】
また、この光ディスク装置は、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理と誤り訂正処理を行って生成したデータをＲＡＭ７に格納するデジタル信号処理部８と
、システムコントローラ２２の指示に応じてデジタル信号処理部８から出力されたデータ
ストリームの中からオーディオデータとサブピクチャデータとビデオデータとを分離する
ストリーム分離部９とを備えている。
【００２２】
また、この光ディスク装置は、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２３】
また、この光ディスク装置は、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００２４】
また、この光ディスク装置は、システムコントローラ２２に対して、各種指示を与える
ための各種操作キーを有する本体操作部２１と、装置全体を制御する前記システムコント
ローラ２２とを備えている。本体操作部２１は、リモコン（リモートコントローラ）２６
からの操作指令を示す光信号を受信する受光手段（図示せず）を備え、この受光手段によ
り光信号を電気信号に変換してシステムコントローラ２２に指令信号を入力する。リモコ
ン２６は本体操作部２１と同様な各種操作キーを有する他、更に複数のキーを有する。本
体操作部２１のキー（本体キー）の配置については図２で説明する。また、リモコン２６
のキー（リモコンキー）の配置については図５で説明する。
【００２５】
また、この光ディスク装置は、装置の各構成要素を制御したり、装置全体を制御したり
するためのプログラムやデータなどを記憶するフラッシュＲＯＭ２３と、このフラッシュ
ＲＯＭ２３のプログラムやデータに従って演算処理を行いシステムコントローラ２２を制
御するＣＰＵ２４と、操作部２１またはリモコン２６からの操作内容などを表示したりす
る本体側の表示手段である表示部２５とを備えている。
【００２６】
システムコントローラ２２は、本実施形態の特徴とする構成要素として、回転プッシュ
キーＫのツマミＫＩ（図２、図３参照）を右回転させたときに所定回転角度毎に発生する
右回転パルスの個数をインクリメントしてカウントすると共に、前記ツマミＫ１を左回転
させたときに所定回転角度毎に発生する左回転パルスの個数をデクリメントしてカウント
するカウンタ２２１と、前記パルスの個数のカウント値とリモコンキーのキーコードとリ
モコンキーの名称との対応関係を示すテーブル２２２と、回転プッシュキーＫのツマミＫ
１を押下したときにおける前記カウント値に対応したキーコードを前記テーブル２２２よ
り抽出して該キーコードが示すリモコンキーとして回転プッシュキーＫのツマミＫ１の押
下によるキー機能を確定するキー確定手段２２３と、前記カウント値に対応するリモコン
キーの名称を前記テーブル２２２より抽出して表示手段としてのディスプレイ装置２０ま
たは表示部２５に表示させるキー名称表示手段２２４とを有する。
【００２７】
図２は本実施形態の光ディスク装置に備えられる本体操作部に設けられている本体キー
の配置図である。図２において、Ｐは装置本体の前面に設けられている本体操作部２１の
前面を示し、この前面Ｐには、光ディスクが載置されるディスクトレイＴが配置されてい
ると共に、ディスクトレイＴを開閉する操作を行うためのＯＰＥＮ／ＣＬＯＳＥキーと、
装填された光ディスクを再生させる操作を行うためのＰＬＡＹキーと、再生を停止させる
操作を行うためのＳＴＯＰキーと、装置の電源をオンしたりオフしたりする操作を行うた
めのＰＯＷＥＲキーと、ツマミＫ１を回転させたとき所定の回転角度毎にパルスを発生す
ると共に前記ツマミＫ１を押下することによりオン信号を発生する回転プッシュキーＫと
が配置さられている。なお、本体操作部２１のキーの種類や個数は、それらに限ることは
ない。
【００２８】
図３は本実施形態において本体操作部２１に備えられている回転プッシュキーの斜視図
である。図３に示すように、回転プッシュキーＫにはユーザにより押下させたり回転させ
たりするツマミＫ１が設けられている。
【００２９】
図４は本実施形態において回転プッシュキーの電気的構成の原理を説明するための回路
構成図である。なお、この回転プッシュキーの回路構成は、これに限らず、ツマミの回転
の所定角度毎にパルスを発生すると共に、ツマミの押下によりオン信号を発生するもので
あれば良い。
【００３０】
図４に示すように、回転プッシュキーＫは、ツマミＫ１（図２、図３参照）と連動され
て回転する回転接触子ａと、１０度の間隔を置いて配置された３６個の接点ｂ１〜接点ｂ
３６と、３６個の入力端子が接点ｂ１〜接点ｂ３６にそれぞれ接続されると共に出力端子
がシュミットトリガ回路４２を介してカウンタ２２１の入力端子に接続されているＯＲゲ
ート４１と、接点ｂ１〜接点ｂ３６からのパルスを検出することにより回転接触子ａが右
回転しているか左回転しているかを検出し、右回転しているということを検出した場合は
例えばハイレベル信号を、左回転しているということを検出した場合は例えばローレベル
信号を、カウンタ２２１のインクリメント／デクリメント制御端子に入力する回転方向検
出回路４３と、ツマミＫ１を押下した時にオンしてオン信号を出力する押下スイッチ４４
とを備えている。なお、回転接触子ａおよび押下スイッチ４４の入力側には所定の電圧（
ハイレベル信号）が供給されているものとする。
【００３１】
例えば、最初、回転接触子ａが接点ｂ３６にある状態で、ユーザが回転プッシュキーＫ
のツマミＫ１を１０度右に回すと、回転接触子ａが接点ｂ１に接触して、ハイレベル信号
がＯＲゲート４１に入力され、そのハイレベル信号はシュミットトリガ回路４２により所
定パルス幅のパルスとなり、このパルスはカウンタ２２１に入力される。このとき回転方
向検出回路４３は、回転接触子ａが右回転したことを検出し、ハイレベル信号をカウンタ
２２１のインクリメント／デクリメント制御端子に入力する。この結果、カウンタ２２１
はインクリメント動作を行い、カウント値は「１」となる。
【００３２】
更に、ユーザが回転プッシュキーＫのツマミＫ１を１０度右に回すと、回転接触子ａが
接点ｂ２に接触して、ハイレベル信号がＯＲゲート４１に入力され、そのハイレベル信号
はシュミットトリガ回路４２により所定パルス幅のパルスとなり、このパルスはカウンタ
２２１に入力される。この結果、カウンタ２２１のカウント値は「２」となる。また、更
に、ユーザが回転プッシュキーＫのツマミＫ１を１０度右に回すと、回転接触子ａが接点
ｂ３に接触して、ハイレベル信号がＯＲゲート４１に入力され、そのハイレベル信号はシ
ュミットトリガ回路４２により所定パルス幅のパルスとなり、このパルスはカウンタ２２
１に入力される。この結果、カウンタ２２１のカウント値は「３」となる。
【００３３】
このようにして、回転プッシュキーＫのツマミＫ１を右に回していくと、回転角度が１
０度毎にカウンタ２２１はインクリメント動作を行い、カウント値が「１，２，３，４，
５，６，７，８，９，１０，１１，１２，１３，１４，１５，１６，１７，１８，１９，
２０，２１，２２，２３，２４，２５，２６，２７，２８，２９，３０，３１，３２，３
３，３４，３５，３６，３７，３８，３９，４０」となる。
【００３４】
なお、回転接触子ａが１周するとカウント値が「３６」になり、更にツマミＫ１を例え
ば４０度右に回すと、カウンタ値が「４０」になり、その後、更にツマミＫ１を右に回し
ていくと、カウント値は「１，２，３，４，５，６，７，８，９，１０，１１，１２，１
３，１４，１５，１６，１７，１８，１９，２０，２１，２２，２３，２４，２５，２６
，２７，２８，２９，３０，３１，３２，３３，３４，３５，３６，３７，３８，３９，
４０」となる。
【００３５】
一方、例えば、最初、回転接触子ａが接点ｂ４にある状態で、ユーザが回転プッシュキ
ーＫのツマミＫ１を１０度左に回すと、回転接触子ａが接点ｂ３に接触して、ハイレベル
信号がＯＲゲート４１に入力され、そのハイレベル信号はシュミットトリガ回路４２によ
り所定パルス幅のパルスとなり、このパルスはカウンタ２２１に入力される。このとき回
転方向検出回路４３は、回転接触子ａが左回転したことを検出し、ローレベル信号をカウ
ンタ２２１のインクリメント／デクリメント制御端子に入力する。この結果、カウンタ２
２１はデクリメント動作を行い、カウント値は「４０」から「３９」となる。
【００３６】
更に、ユーザが回転プッシュキーＫのツマミＫ１を１０度左に回すと、回転接触子ａが
接点ｂ２に接触して、ハイレベル信号がＯＲゲート４１に入力され、そのハイレベル信号
はシュミットトリガ回路４２により所定パルス幅のパルスとなり、このパルスはカウンタ
２２１に入力される。この結果、カウンタ２２１のカウント値は「３８」となる。また、
更に、ユーザが回転プッシュキーＫのツマミＫ１を１０度左に回すと、回転接触子ａが接
点ｂ１に接触して、ハイレベル信号がＯＲゲート４１に入力され、そのハイレベル信号は
シュミットトリガ回路４２により所定パルス幅のパルスとなり、このパルスはカウンタ２
２１に入力される。この結果、カウンタ２２１のカウント値は「３７」となる。
【００３７】
このようにして、回転プッシュキーＫのツマミＫ１を左に回していくと、回転角度が１
０度毎にカウンタ２２１はデクリメント動作を行い、カウント値が「４０，３９，３８，
３７，３６，３５，３４，３３，３２，３１，３０，２９，２８，２７，２６，２５，２
４，２３，２２，２１，２０，１９，１８，１７，１６，１５，１４，１３，１２，１１
，１０，９，８，７，６，５，４，３，２，１」となる。
【００３８】
なお、回転接触子ａが左回転で１周するとカウント値が「５」になり、更にツマミＫ１
を例えば４０度左に回すと、カウンタ値が「１」になり、その後、更にツマミＫ１を左に
回していくと、カウント値は「４０，３９，３８，３７，３６，３５，３４，３３，３２
，３１，３０，２９，２８，２７，２６，２５，２４，２３，２２，２１，２０，１９，
１８，１７，１６，１５，１４，１３，１２，１１，１０，９，８，７，６，５，４，３
，２，１」となる。
【００３９】
なお、この回転プッシュキーＫにおいては、１０度間隔に設けられた３６個の接点ｂ１
〜接点ｂ３６を有する構成について説明しているが、接点間の間隔や、接点の個数は、そ
れらに限定されるものではない。
【００４０】
図５は本実施形態の光ディスク装置を赤外線信号により遠隔操作するリモコンのキーの
配置図である。図５において、Ｒはリモコン２６の上面を示し、この上面Ｒには、装置の
電源をオン／オフさせる操作を行うためのＰＯＷＥＲキー、画面表示させる操作を行うた
めのＤＩＳＰＬＡＹキー、タイトルやチャプタをサーチする操作を行うためのＳＥＡＲＣ
Ｈキー、ディスクトレイＴを開閉させる操作を行うためのＯＰＥＮ／ＣＬＯＳＥキー、音
声を切り換える操作を行うためのＡＵＤＩＯキー、サーチなどをするときに数字を入力す
る操作を行うための１，２，３，４，５，６，７，８，９，０，＋１０キー、字幕を切り
換える操作を行うためのＳＵＢＴＩＴＬＥキー、アングルを切り換える操作を行うための
ＡＮＧＬＥキー、およびタイトルやチャプタをリピートする操作を行うためのＲＰＥＡＴ
キーが配置されている。
【００４１】
また、リモコン２６の上面Ｒには、入力した数値を取り消す操作を行うためのＣＬＥＡ
Ｒキー、Ａ−Ｂ間をリピートさせる操作を行うためのＡ−Ｂキー、一時停止させる操作を
行うためのＰＡＵＳＥキー、スキップダウンさせる操作を行うためのＳＫＩＰ−ＤＯＷＮ
キー、スキップアップさせる操作を行うためのＳＫＩＰ−ＵＰキー、早戻しの操作を行う
ためのＲＥＶキー、再生を開始させる操作を行うためのＰＬＡＹキー、再生などを停止さ
せる操作を行うためのＳＴＯＰキー、早送りの操作を行うためのＦＷＤキー、初期設定の
操作を行うためのＳＥＴＵＰキー、およびトップメニューに設定する操作を行うためのＴ
ＯＰＭＥＮＵキーが配置されている。
【００４２】
また、リモコン２６の上面Ｒには、上方向のカーソルキー、普通のメニューに設定する
操作を行うためのＭＥＮＵキー、画質調整画面など調整に関する画面を呼び出したりする
操作を行うためのＭＯＤＥキー、左方向のカーソルキー、入力内容を決定する操作を行う
ためのＥＮＴＥＲキー、右方向のカーソルキー、バーチャルサラウンドシステムを実現さ
せる操作を行うためのＶ.Ｓ.Ｓキー、２倍や４倍などに画像を拡大させる操作を行うため
のＺＯＯＭキー、下方向のカーソルキー、および一つ前の画面に戻す操作を行うためのＲ
ＥＴＵＲＮキーが配置されている。なお、リモコン２６のキーの種類や個数は、それらに
限ることはない。
【００４３】
図６は本実施形態においてカウント値とキーコードとキー名称との対応関係を示すテー
ブルの内容を示す図である。図６において、カウント値は、図２中の回転プッシュキーＫ
のツマミＫ１を右または左に回した時に得られるカウンタ２２１のカウント値である。次
のキーコードは図５に示すリモコンキーにそれぞれ割り当てられたコードを示す。キー名
称はリモコンキーを示し、カウント値に対応するリモコンキーの名称を示す。例えば、カ
ウント値が「３」であれば、キーコードは「０３」で、図５において、３番目のＳＥＡＲ
ＣＨキーを示す。したがって、図２中の回転プッシュキーＫのツマミＫ１を右に３０度回
して、ツマミＫ１を押下すれば、この回転プッシュキーＫのツマミＫ１の押下キー動作は
リモコン２６側のＳＥＡＲＣＨキーとしての機能を有することになる。
【００４４】
図７は本実施形態においてリモコンキーの機能を回転プッシュキーに持たせる場合の処
理について説明するためのフローチャートである。このフローチャートを参照してリモコ
ンキーの機能を回転プッシュキーに持たせる場合の処理について説明する。回転プッシュ
キーの動作については、図４で説明したので、ここでは省略する。
【００４５】
ここでは、リモコン２６が紛失または故障したとし、本体操作部２１のキーのみにより
光ディスク装置が操作可能であることにする。先ず、本体操作部２１のＰＯＷＥＲキーが
押下されることにより、光ディスク装置が電源オンされる（ステップＳ１）。システムコ
ントローラ２２のカウンタ２２１のカウント値ｎはｎ＝０にする（ステップＳ２）。この
カウント値は、本体操作部２１の回転プッシュキーＫのツマミＫ１の回転度数を示すもの
とする。
【００４６】
ここで、本体操作部２１の回転プッシュキーＫが操作され（ステップＳ３）、回転プッ
シュキーＫのツマミＫ１を右に１０度回転させると（ステップＳ４）、システムコントロ
ーラ２２のカウンタ２２１は、インクリメント動作し（ステップＳ５）、カウンタ値が「
１」になる。そして、システムコントローラ２２のキー名称表示手段２２４は、カウンタ
値が「１」に対応するリモコン２６のキー名称「ＰＯＷＥＲキー」をテーブル２２２より
抽出し、ディスプレイ装置２０または表示部２５に表示させる（ステップＳ６）。なお、
ステップＳ５において、ｎがＭＡＸの場合はｎ＝１とするのは、この例では、リモコンキ
ーの個数が４０個である場合で説明しているので、カウント値ｎが「４０」を超えたとき
にカウント値ｎが「１」に戻るようにしているためである。
【００４７】
更に、本体操作部２１の回転プッシュキーＫが操作され（ステップＳ３）、回転プッシ
ュキーＫのツマミＫ１を更に右に１０度回転させると（ステップＳ４）、システムコント
ローラ２２のカウンタ２２１は、インクリメント動作し（ステップＳ５）、カウンタ値が
「２」になる。そして、システムコントローラ２２のキー名称表示手段２２４は、カウン
タ値が「２」に対応するリモコン２６のキー名称「ＤＩＳＰＬＡＹキー」をテーブル２２
２より抽出し、ディスプレイ装置２０または表示部２５に表示させる（ステップＳ６）。
【００４８】
更に、本体操作部２１の回転プッシュキーＫが操作され（ステップＳ３）、回転プッシ
ュキーＫのツマミＫ１を更に右に１０度回転させると（ステップＳ４）、システムコント
ローラ２２のカウンタ２２１は、インクリメント動作し（ステップＳ５）、カウンタ値が
「３」になる。そして、システムコントローラ２２のキー名称表示手段２２４は、カウン
タ値が「３」に対応するリモコン２６のキー名称「ＳＥＡＲＣＨキー」をテーブル２２２
より抽出し、ディスプレイ装置２０または表示部２５に表示させる（ステップＳ６）。
【００４９】
このようにして、回転プッシュキーＫのツマミＫ１を右に１０度づつ回転させていくと
、図６のテーブル２２２に示すようにカウント値に応じてリモコン２６のキー名称が抽出
され、ディスプレイ装置２０または表示部２５に表示される。このようにして、リモコン
２６のキー名称がディスプレイ装置２０または表示部２５に表示されているときに、ユー
ザが希望するリモコンキーを確定したい場合、回転プッシュキーＫのツマミＫ１を押下す
ると（ステップＳ９）、システムコントローラ２２のキー確定手段２２３は、カウント値
ｎが０でない場合（ステップＳ１０）、現カウント値ｎに対応するリモコンキーの機能を
、回転プッシュキーＫのツマミＫ１の押下によるキー機能として確定する（ステップＳ１
１）。
【００５０】
また、本体操作部２１の回転プッシュキーＫが操作され（ステップＳ３）、回転プッシ
ュキーＫのツマミＫ１を左に１０度回転させると（ステップＳ７）、システムコントロー
ラ２２のカウンタ２２１は、デクリメント動作し（ステップＳ８）、カウンタ値が「４０
」になる。そして、システムコントローラ２２のキー名称表示手段２２４は、カウンタ値
が「４０」に対応するリモコン２６のキー名称「ＲＥＴＵＲＮキー」をテーブル２２２よ
り抽出し、ディスプレイ装置２０または表示部２５に表示させる（ステップＳ６）。なお
、ステップＳ８において、ｎが０または１の場合はｎ＝ＭＡＸ値とするのは、この例では
、リモコンキーの個数が４０個である場合で説明しているので、カウント値ｎが「１」未
満になったときにカウント値ｎが「４０」に戻るようにしているためである。
【００５１】
更に、本体操作部２１の回転プッシュキーＫが操作され（ステップＳ３）、回転プッシ
ュキーＫのツマミＫ１を更に左に１０度回転させると（ステップＳ７）、システムコント
ローラ２２のカウンタ２２１は、デクリメント動作し（ステップＳ８）、カウンタ値が「
３９」になる。そして、システムコントローラ２２のキー名称表示手段２２４は、カウン
タ値が「３９」に対応するリモコン２６のキー名称「下向きの方向キー」をテーブル２２
２より抽出し、ディスプレイ装置２０または表示部２５に表示させる（ステップＳ６）。
【００５２】
更に、本体操作部２１の回転プッシュキーＫが操作され（ステップＳ３）、回転プッシ
ュキーＫのツマミＫ１を更に左に１０度回転させると（ステップＳ７）、システムコント
ローラ２２のカウンタ２２１は、デクリメント動作し（ステップＳ８）、カウンタ値が「
３８」になる。そして、システムコントローラ２２のキー名称表示手段２２４は、カウン
タ値が「３８」に対応するリモコン２６のキー名称「ＺＯＯＭキー」をテーブル２２２よ
り抽出し、ディスプレイ装置２０または表示部２５に表示させる（ステップＳ６）。
【００５３】
このようにして、回転プッシュキーＫのツマミＫ１を左に１０度づつ回転させていくと
、図６のテーブル２２２に示すようにカウント値に応じてリモコン２６のキー名称が抽出
され、ディスプレイ装置２０または表示部２５に表示される。このようにして、リモコン
２６のキー名称がディスプレイ装置２０または表示部２５に表示されているときに、ユー
ザが希望するリモコンキーを確定したい場合、回転プッシュキーＫのツマミＫ１を押下す
ると（ステップＳ９）、システムコントローラ２２のキー確定手段２２３は、カウント値
ｎが０でない場合（ステップＳ１０）、現カウント値ｎに対応するリモコンキーの機能を
、回転プッシュキーＫのツマミＫ１の押下によるキー機能として確定する（ステップＳ１
１）。なお、ステップＳ１０において、カウント値ｎが０であると判定された場合は、本
処理は無効とする（ステップＳ１２）。
【００５４】
ここの説明では、回転プッシュキーＫのツマミＫ１を順次右回転させたり、順次左回転
させたりしたときの処理について説明したが、例えば、ツマミＫ１を右回転させ、途中で
左回転させたりしても、同様にリモコンキーの機能を、回転プッシュキーＫのツマミＫ１
の押下によるキー機能として確定することができる。例えば、回転プッシュキーＫのツマ
ミＫ１を右回転に１１０度回転させ、このときのカウント値が「１１」で、回転プッシュ
キーＫのツマミＫ１の押下によるキー機能がリモコン２６の数字５のキーを代用している
状態で、ツマミＫ１を左回転に１０度回転させると、カウント値が「１０」になり、回転
プッシュキーＫのツマミＫ１の押下によるキー機能が、リモコン２６の数字４のキーを代
用することになる。
【００５５】
以上説明したように本実施形態によれば、ユーザがリモコンを紛失したり、リモコンが
故障したりした場合に、リモコンキーを本体操作部の回転プッシュキーで代用させる場合
、本体操作部の回転プッシュキーのツマミを回して代用したいリモコンキーを選択し、こ
の選択したリモコンキーの機能を、そのツマミの押下により確定することができ、また、
このとき選択・確定されるリモコンキーの名称も表示でき、これにより、回転プッシュキ
ーの操作も、リモコンキーの名称を見ながら簡単に行うことができて、リモコンの各機能
を実現でき、したがって、ユーザにとっては使い勝手が良くなる。
【図面の簡単な説明】
【００５６】
【図１】本発明の一実施形態に係る光ディスク装置の構成を示すブロック図である。
【図２】前記実施形態の光ディスク装置に備えられる本体操作部に設けられている本体キーの配置図である。
【図３】前記実施形態において本体操作部に備えられている回転プッシュキーの斜視図である。
【図４】前記実施形態において回転プッシュキーの電気的構成の原理を説明するための回路構成図である。
【図５】前記実施形態の光ディスク装置を赤外線信号により遠隔操作するリモコンのキーの配置図である。
【図６】前記実施形態においてカウント値とキーコードとキー名称との対応関係を示すテーブルの内容を示す図である。
【図７】前記実施形態においてリモコンキーの機能を回転プッシュキーに持たせる場合の処理について説明するためのフローチャートである。
【符号の説明】
【００５７】
１    光ディスク
２０    ディスプレイ装置（表示手段）
２１    本体操作部
２２    システムコントローラ
２５    表示部（表示手段）
２６    リモコン
２２１    カウンタ
２２２    テーブル
２２３    キー確定手段
２２４    キー名称表示手段
Ｋ    回転プッシュキー
Ｋ１    ツマミ
【図１】
2006196094.tif 000003
【図２】
2006196094.tif 000004
【図３】
2006196094.tif 000005
【図４】
2006196094.tif 000006
【図５】
2006196094.tif 000007
【図６】
2006196094.tif 000008
【図７】
2006196094.tif 000009